(57)【要約】【課題】デジタルカメラが有する画像記録媒体への記録可能な画像の枚数を正確に算出する。【解決手段】画像記録装置は主にＣＣＤ１２０、ＡＦＥ１２２、ＤＳＰ１２４、ＬＣＤ１３８、およびＳＤカード１３０から構成される。ＣＣＤ１２０により得られた電荷は、ＡＦＥ１２２により画像データに変換されてＤＳＰ１２４に入力する。画像データはＤＳＰ１２４により可変長圧縮され画像ファイルとしてＳＤカード１３０に記録される。可変長圧縮により画像ファイルのファイルサイズはそれぞれ異なる。ＤＳＰ１２４は、ユーザにより設定されるＩＳＯ感度に従って、画像ファイルのファイルサイズを推定する。推定されたファイルサイズでＳＤカード１３０の残り記録容量を除することにより、残り撮影枚数を算出する。算出された残り撮影枚数はＬＣＤ１３８に表示される。【選択図】図１
2008034929.tif 000002
【特許請求の範囲】
【請求項１】
画像データを可変長圧縮して画像記録媒体に記録する画像記録装置において、
ユーザにより設定される撮像設定値に従って定められるファイルサイズと前記画像記録媒体の記録可能な残量とから、前記画像記録媒体の残り記録枚数を求める算出手段を有することを特徴とする画像記録装置。
【請求項２】
前記撮像設定値は前記画像データの記録画素数であることを特徴とする請求項１に記載の画像記録装置。
【請求項３】
前記撮像設定値は撮像素子のゲインであることを特徴とする請求項１に記載の画像記録装置。
【請求項４】
前記撮像設定値はＩＳＯ感度であることを特徴とする請求項１に記載の画像記録装置。
【請求項５】
前記算出手段は前記画像記録装置の電源投入時に実行されることを特徴とする請求項１に記載の画像記録装置。
【請求項６】
前記算出手段は前記記録画素数の設定が変更されたときに実行されることを特徴とする請求項２に記載の画像記録装置。
【請求項７】
前記算出手段は前記ゲインの設定が変更されたときに実行されることを特徴とする請求項３に記載の画像記録装置。
【請求項８】
前記算出手段は前記ＩＳＯ感度の設定が変更されたときに実行されることを特徴とする請求項４に記載の画像記録装置。
【請求項９】
前記ファイルサイズはあらかじめ設定され、前記画像記録装置が有するメモリに記録されていることを特徴とする請求項１に記載の画像記録装置。
【請求項１０】
前記残り記録枚数を表示する表示部を備えることを特徴とする請求項１に記載の画像記録装置。
【発明の詳細な説明】
【技術分野】
【０００１】
本発明は画像記録装置、特にデジタルカメラが有する画像記録媒体への記録可能枚数の算出に関する。
【背景技術】
【０００２】
画像記録装置、例えばデジタルカメラは、スイッチの操作によりレンズから入力された被写体像をＣＣＤ及びＡＦＥにより画像データに変換する。画像データはデジタルカメラが内蔵するメモリに一時的に記録されてＤＳＰにより画像処理された後、着脱可能に設けられた外部メディアに画像ファイルとして記録される。ＬＣＤには記録媒体に記録された画像ファイル、レンズを介して得られたスルー画像、及びデジタルカメラの操作に必要な情報等が自動的にあるいはスイッチの操作に従って表示される。
【０００３】
画像処理では、画像データを効率よく画像記録媒体に記録するために、例えばＪＰＥＧ圧縮に従って可変長圧縮し、それぞれ異なるファイルサイズを有する画像ファイルを作成する。
【０００４】
一方、デジタルカメラは撮影の便宜のため記録可能な画像の残り枚数を予測して表示する機能を有する。記録可能な残り枚数を予測する方法として、記録可能な残量に画像記録媒体における撮影前後の記録可能な残量の差分を加えるとともに固定値として記録されているファイルサイズを減じて算出された値を、固定値として記録されているファイルサイズで除することにより記録可能な残り枚数を算出する方法（特許文献１）が知られている。
【特許文献１】特開２００２−２９０７７９号公報
【発明の開示】
【発明が解決しようとする課題】
【０００５】
しかし、可変長圧縮した画像ファイルのファイルサイズは撮影条件や圧縮率によって異なるため、あらかじめ設定された固定値であるファイルサイズをもとに記録可能な残り枚数を推測しても、実際に撮影可能な枚数と異なる。残り枚数が正確でないと、画像記録媒体が記録可能な残量を有していても撮影を中断したり、連続撮影を行うときに撮影枚数が制限されたり、画像記録媒体を余計に用意する必要が生じたりする。
【０００６】
本発明は、画像記録装置が有する画像記録媒体への記録可能な枚数を正確に算出することを目的とする。
【課題を解決するための手段】
【０００７】
本発明は、画像データを可変長圧縮して画像記録媒体に記録する画像記録装置において、ユーザにより設定される撮像設定値に従って定められるファイルサイズと画像記録媒体の記録可能な残量とから、画像記録媒体の残り記録枚数を求める算出手段を有することを特徴とする。
【０００８】
撮像設定値は画像データの記録画素数、撮像素子のゲイン、又はＩＳＯ感度であることが好ましい。
【０００９】
算出手段は、画像記録装置の電源が投入されたとき、記録画素数の設定が変更されたとき、ゲインの設定が変更されたとき、又はＩＳＯ感度の設定が変更されたときに実行されればなお良い。
【００１０】
撮像設定値に従って定められるファイルサイズはあらかじめ設定され、画像記録装置が有するメモリに記録されていればなお良い。
【００１１】
画像記録装置は、残り記録枚数を表示する表示部を備えることが望ましい。
【発明の効果】
【００１２】
本発明は、画像記録装置が有する画像記録媒体への記録可能な枚数を正確に算出することができる画像記録装置を提供する。
【発明を実施するための最良の形態】
【００１３】
以下、本発明の実施形態について添付図面を参照して説明する。図１は、本発明によるデジタルカメラの構成を模式的に示すブロック図である。
【００１４】
被写体像は、レンズ１１０、絞り１１２及びシャッタ１１３を介してＣＣＤ１２０に結像する。レンズ１１０、絞り１１２及びシャッタ１１３はＤＳＰ１２４からの指示に従ってモータ駆動回路１１４により制御される。図示しないレリーズボタンを操作することによりシャッタ１１３が切られ、ＣＣＤ１２０は結像した像を電荷に変換し、ＡＦＥ１２２はＣＣＤ１２０からの電荷を増幅して画像データに変換する。ＤＳＰ１２４は画像データをメモリ１２６に一時的に蓄積しながら、可変長圧縮し画像ファイルとしてＳＤカード１３０に保存する。ＤＳＰ１２４に接続されるＥＥＰＲＯＭ１５０は、ＤＳＰ１２４の動作に必要な各種データを記憶する。
【００１５】
ＬＣＤ１３８は、撮像前にはＣＣＤ１２０及びＡＦＥ１２２から得られる画像データを静止画あるいは動画として表示し、撮像後にはＳＤカード１３０に保存された画像ファイルを表示する。バックライト１３６はＬＣＤ１３８に設けられ、バックライト駆動回路１３４はＤＳＰ１２４からの指示に従いバックライト１３６を点灯させる。
【００１６】
ＡＦＥ１２２による電荷の増幅率、つまりゲインは、ユーザが操作スイッチ１３２を用いて設定するＩＳＯ感度によって決定される。すなわち、ＩＳＯ感度を高くするとゲインが上げられて画像のノイズが多くなり、Ｓ／Ｎ比が悪化する。Ｓ／Ｎ比が悪化すると画像データには輝度もしくは色調が急峻に変化する部分、つまり高周波成分が増加する。
【００１７】
図２は、画像の記録画素数が約５Ｍピクセル（例えば、横２５６０ピクセル×縦１９２０ピクセル）であるときのＩＳＯ感度と可変長圧縮後のファイルサイズの推定値との関係を示したグラフである。
【００１８】
可変長圧縮後のファイルサイズの推定値は、記録画素数及びＩＳＯ感度ごとに様々な被写体を撮影して得られた複数のファイルサイズを平均して求められる。つまり、デジタルカメラが設定可能な記録画素数ごとに、図２に示すものと同様のグラフが作成される。
【００１９】
可変長圧縮は、ＣＣＤ１２０及びＡＦＥ１２２から得られた画像データに離散コサイン変換、量子化およびハフマン圧縮を施すことによって行われる。離散コサイン変換及び量子化は、一般に被写体の輝度もしくは色調が急峻に変化しない、つまり高周波成分が少ない性質を利用するものであり、ハフマン圧縮はデータの発生確率を利用してデータの圧縮を行うものである。従って、ＩＳＯ感度を高くしてゲインを上げることにより、ＡＦＥ１２２から出力される画像データにおける高周波成分が多くなると、離散コサイン変換を用いて効率良く画像データを圧縮することができず、圧縮後のファイルサイズが大きくなる。
【００２０】
すなわち、ＩＳＯ感度が５０のときにはＳ／Ｎ比が高くなって高周波成分が減少し、効率良く画像データを圧縮することができる。そのため、ファイルサイズの推定値は約０．８ＭＢとなる。一方、ＩＳＯ感度が４００のときにはＳ／Ｎ比が低くなって高周波成分が増加し圧縮効率が低下する。そのため、ファイルサイズの推定値は約２．２ＭＢと大きくなる。
【００２１】
ＥＥＰＲＯＭ１５０には、記録画素数毎にＩＳＯ感度に一対一で対応するファイルサイズを示すテーブルデータが記憶される。テーブルデータは図２に示すグラフに従って作成される。ＤＳＰ１２４は、このテーブルデータを参照して、設定された撮影条件に対応したファイルサイズの推定値を求める。
【００２２】
図２に示すグラフを用いてＩＳＯ感度及び記録画素数に応じたファイルサイズの推定値を求めることにより、固定されたファイルサイズよりも実際に撮影された画像ファイルに近いファイルサイズを得ることができる。
【００２３】
図３を用いて、記録可能枚数を算出し表示部であるＬＣＤ１３８に表示する処理について説明する。
【００２４】
この処理はデジタルカメラの電源が投入されると実行される。まずＤＳＰ１２４は、ステップＳ３０においてＳＤカード１３０の記録可能な残量を図示しないＳＤカードコントローラを介して取得する。次にステップＳ３２でユーザにより設定されるＩＳＯ感度を読み込む。
【００２５】
ステップＳ３４では記録可能枚数の算出を行う。算出では、まず、ＩＳＯ感度及び記録画素数に対応してあらかじめ定められるファイルサイズの推定値を取得する。ファイルサイズの推定値は、図２に示したグラフに従い、ＥＥＰＲＯＭ１５０に記憶されるテーブルデータを参照して算出される。次にステップＳ３０で取得したＳＤカード１３０の記録可能な残量をファイルサイズの推定値で除する。実際に撮影された画像ファイルのファイルサイズに近い推定値を用いることにより、精度良く残り記録可能枚数を算出することが可能になる。
【００２６】
ステップＳ３６では、ＬＣＤ１３８に残り記録可能枚数を表示する。これにより、撮影者は残り記録枚数を誤差無く把握することが可能になり、デジタルカメラの利便性が向上する。
【００２７】
これにより、固定されたファイルサイズよりも実際に撮影された画像ファイルに近いファイルサイズを得ることができ、記録媒体に記録することの出来る枚数を正確に算出することが出来る。また、ＥＥＰＲＯＭ１５０に記憶されたテーブルデータを利用してファイルサイズの推定値を算出することにより、算出処理を簡易化して算出に必要な時間を短縮することが出来る。
【００２８】
なお、可変長圧縮後のファイルサイズは、記録画素数及びＩＳＯ感度に加えて画像ファイルのファイルサイズを変化させうる他の要素により決定されてもよい。
【００２９】
画像のファイルサイズを得る手段はテーブルデータによるものでなくてもよく、例えば、図２に示す記録画素数、ファイルサイズ、及びＩＳＯ感度設定の関係を関数で表現した数式によって推定ファイルサイズを求める手段等の、ＩＳＯ感度及び記録画素数に対応するファイルサイズを得ることができるものであればよい。
【００３０】
記録可能枚数の算出は、被写体を撮影してＳＤカード１３０に画像を記録した後に行っても良い。ＳＤカード１３０の記録可能な残量が変化するときに記録可能枚数を算出することによって、精度の高い残り記録枚数の表示が可能になる。
【００３１】
記録可能枚数の算出はＩＳＯ感度又は記録画素数が変更された後に行っても良い。ＩＳＯ感度又は記録画素数の変更により、画像の推定されるファイルサイズが変化する。予測されるファイルサイズが変化するときに記録可能枚数を算出することによって、より精度の高い残り記録枚数の表示が可能になる。
【００３２】
画像記録媒体はＳＤカード１３０に限定されず、ハードディスク、光学ディスクまたはソリッドステートメモリ等の記録媒体であってもよい。
【図面の簡単な説明】
【００３３】
【図１】本発明の一実施形態であるデジタルカメラの構成を示すブロック図である。
【図２】ＩＳＯ感度とファイルサイズとの関係を示すグラフである。
【図３】記録可能枚数を算出し表示する処理を示したフローチャートである。
【符号の説明】
【００３４】
１１０  レンズ
１２０  ＣＣＤ
１２２  ＡＦＥ
１２４  ＤＳＰ
１２６  メモリ
１３０  ＳＤカード
１３２  操作スイッチ
１３８  ＬＣＤ
【図１】
2008034929.tif 000003
【図２】
2008034929.tif 000004
【図３】
2008034929.tif 000005